(57)【要約】【課題】  電磁誘導現象において、出力電流に伴う磁束の発生を打消すことができれば、真空の「場」のエネルギーである「対生成」だけを利用することができ、入力エネルギー不要の電源装置を作ることができる。【解決手段】  メイン磁路Ａに巻いてある出力コイル２の中を、斜めに横断して一周する斜線横断用磁路Ｂを増設し、出力コイル２に対する逆起磁力が、直接その斜線横断部に発生するように、ＣＲＴ偏向コイルと類似の鞍形対称巻きにした打消コイル３を設け、両者の起磁力が同時に対向発生するように、打消コイル３を経由して出力電流を流すことで、出力電流に伴う磁束の発生を打消すことができ、課題を解決することができる。【選択図】図３
2016226248.tif 000002
【特許請求の範囲】
【請求項１】
メイン磁路にある出力コイルの内部を、打消用磁束が斜線横断できるように、斜線横断用磁路を増設し、出力コイルに対する逆起磁力が、その斜線横断部に発生するように打消コイルを設けると共に、この打消コイルを経由して出力電流を流すことで、出力電流による磁束の発生を打消して成る、真空の「場」のエネルギーを利用する電源装置。
【請求項２】
前記打消コイルは、鞍形対称巻きにして前記斜線横断部に設け、それによる逆起磁力がその斜線横断部に直接発生するようにして成る、請求項１に記載の電源装置。
【請求項３】
前記打消コイルは、通常の巻き方にして前記斜線横断用磁路の増設側に設け、それによる逆起磁力が一対の中継コイルにより、前記斜線横断部に転移して発生するようにして成る、請求項１に記載の電源装置。
【請求項４】
変流器などの電流変換コイルを介して、前記打消コイルを経由し、出力電流を流すようにして成る、請求項１に記載の電源装置。
【請求項５】
電磁誘導現象を持続するために、一次側が必要とする分だけ、出力エネルギーの一部を一次側へ戻すことで、自己完結型の装置にして成る、請求項１に記載の電源装置。
【請求項６】
請求項１ないし５のいずれか１項に記載の電源装置を、各種用途に応じてそれぞれ制御装置などと組み合わせ、それぞれの仕様に合わせて成る、実用電源装置。
【請求項７】
請求項６に記載の実用電源装置を複数内蔵して成る、自動車。
【請求項８】
請求項６に記載の実用電源装置を内蔵して成る、無人走行可能の自動車。
【請求項９】
請求項６に記載の実用電源装置を内蔵して成る、自立歩行可能の知能ロボット。
【請求項１０】
請求項６に記載の実用電源装置を内蔵して成る、宇宙を含む空間の、無人飛行体。
【請求項１１】
請求項６に記載の実用電源装置を内蔵して成る、自衛も含めた、軍備用機器。
【請求項１２】
請求項６に記載の実用電源装置を内蔵して成る、磁気浮上方式を含む、超高速鉄道用の電気車。
【発明の詳細な説明】
【技術分野】
【０００１】  本発明は、初歩的な電磁誘導（ファラデー）や、磁束と電流の向き（レンツ）などの法則を原点に究明した、真空の「場」のエネルギーを利用する電源装置のことであり、非常に根本的な事だが、先行技術はまだない。
【発明の概要】
【発明が解決しようとする課題】
【０００２】  最初の疑問は、ファラデーによる電磁誘導の法則（１８３１）を、基本とする変圧器や発電機は、「なぜ出力に対応して入力が流入してしまうのか？」【０００３】  その本質を究明する前に、電気の総本家としての真空の「場」のことであるが、素粒子理論において「沸き立つ真空」などと呼ばれ、エネルギーのかたまりである電子と陽電子が「対生成」と「対消滅」をくり返していて、常に「場」のエネルギーは基準点に保たれ、言わば常に平準化している状態であると言われている。【０００４】  そして現在「エネルギー保存の法則」は、物理学の大原則であり、「宇宙の原理」のように提唱されているのは周知のことである。そして電磁誘導により二次側の出力コイルから取り出す出力が、一次側に入る入力と等しいことも常識であり正しい。【０００５】  ところが、この電磁誘導現象の本質的な真相を究明してゆくと、従来の常識概念を糺すべき反論不可能な真理の証明に帰着する。【０００６】  真相１、電磁誘導現象における出力と入力も、自然界の原理により、原因があるからこそ結果があるという因果律の通り、まず出力コイルからエネルギーを取り出すからこそ、そのエネルギーに対抗して連鎖反応が生じ、その結果一次側から出力と等しい入力エネルギーを強制的に引き込むのである。因果の順がこの逆ではロジックが成り立たない。【０００７】  ここで極めて重要なことは、出力コイルには、出力の大小、位相の進み遅れなど、全ての出力条件に対応できる全能的エネルギーが、最初から発現しているからこそ、連鎖反応という現象を先導することができ、因果律が成り立つのである。【０００８】  更に、この瞬間の連鎖反応という現象の本質は、周知の無誘導巻きしたペアコイルの作用と同じで、出力電流と入力電流が、互いに磁界というエネルギーに変換することを嫌って打消し合い、互いに素通りしているだけであり、実際、磁路には磁界のエネルギーという実体が発生も存在もしていない。電磁理論の素人でも判る明明白白の事実である。【０００９】  存在の無いものが移動するという矛盾したロジックは、絶対にあり得ない。
故に、入力が磁路内を移動して出力コイルへ渡るという連続性が全くない。
故に、出力と入力は、それぞれの場所の、互いに独立したエネルギー現象である。
つまり現在の移動論は、エネルギー保存の法則優先の、単なる辻つま合わせ論である。【００１０】  真相２、電磁誘導現象における、前記の互いに独立したエネルギー現象を、平易な言葉で表現すると、
出力は二次側で「空間から忽然と現れているエネルギー」であり、
入力は一次側で「まぼろしの如く忽然と消えているエネルギー」である。【００１１】  真理（証明）  当然の帰結として、正に電磁誘導現象こそ、真空の「場」における電子と陽電子が、二次側では連続的「対生成」、一次側では連続的「対消滅」している現象のことである。  これは単なる現象論ではない。【００１２】  これ以外、前記の互いに独立したエネルギー現象を説明できるロジックは成立しない。
なぜなら、無から有を生じ、有から無に消える、変幻自在にして全能的エネルギーは、カシミール効果の検証でも明らかな、真空の「場」にしかないからである。
なにしろ、真空の「場」は電気の総本家なのだから。【００１３】  従って、電圧の本質は単なる潜在エネルギーではなく、「対生成」したエネルギーが、そのまま顕在している現象であると認識しなければならない。
現存するあらゆる物は、真空の「場」の中にある。電磁誘導などにより導体内で分離した（−）と（＋）の電荷が、瞬時に、「対生成」した電子と陽電子にそれぞれ変換するから、全能的エネルギーが発生するのである。人体や動物の中でも起きているはずである。
反対に、変圧器の一次コイル内で「対生成」している逆起電力に対して、入力電流が、強引に押し戻している現象が「対消滅」であり、非常に判り易い。【００１４】  改めて、出力＝入力となることの本質を究明すると、連鎖反応という現象こそが、連続的「対生成」となる出力に対して、連続的「対消滅」となる入力を強制的に引き込んで、間接的に「場」の平準化を完遂し、エネルギー保存の法則通りの「宇宙の原理」を保つ役割をしているのである。  改めて、この連鎖反応とは、当然レンツの法則などの事であり変圧器も発電機も真相は同じである。【００１５】  人類は、エジソンの発電所（１８８１）以来１３０年以上も、真空エネルギーから「対生成」した電力を利用していたことになる。
余談だが、今でも発電所からの電力は、変圧器の一次側で「対消滅」して真空に戻っていて、我々は、電力会社からの電力は利用していないのである。【００１６】  ここで最初の疑問に戻ると、「なぜ出力に対応して入力が流入してしまうのか？」
すでに明白であり、強制的に「場」の平準化を完遂して「宇宙の原理」を保つために、連鎖反応が発生してしまうからである。
もしもこのとき、出力電流に伴う磁束の発生が無いとしたら、出力はあっても入力を引き込むための連鎖反応は起きない。起きる道理がない。【００１７】  従って、本発明が解決しようとする課題は、電磁誘導現象における出力電流に伴う磁束の発生を打消して、真空の「場」のエネルギーである「対生成」だけを利用する電源装置を作ること。そして、その装置の特性を利用して各種製品を作ることである。
【課題を解決するための手段】
【００１８】  上記課題を解決するには、とにもかくにも難題の、出力電流に伴う磁束の発生を打消すことしかない。その原理を図１から図６に示した符号と共に順次説明する。【００１９】  始めに、その根本原理と必須三要件を説明する。
メイン磁路Ａに巻いてある出力コイル２の内部を、打消用磁束が出力コイル２の起磁力に対して、斜めに逆流して横断することができるように、斜線横断用磁路Ｂを増設して、出力コイル２に対する逆起磁力が、その斜線横断部に発生するように打消コイル３を設けると共に、この打消コイル３を経由して出力電流を流すことにより、出力電流に伴う路束の発生を打消すことができ、真空の「場」のエネルギーを利用する電源装置が実現する。【００２０】  必須三要件の最初は、斜線横断用磁路Ｂであり、図１、図３のように出力コイル２の内部を打消用磁束が斜めに貫くために設けたもので、メイン磁路Ａを斜線横断して一周するものである。必然的に両磁路は、立体交差することになる。【００２１】  必須三要件のうち特に重要なのは、打消コイル３の態様と作用である。
出力電流に伴う磁束の発生を打消すには、出力コイル２の起磁力に対抗する逆起磁力を直接その出力コイル２の内部に対向発生させることしかない。それ以外は論理的に不可能であり、無数の実験でも確認済みである。【００２２】  唯一の対策として、打消コイル３の作用により、斜線横断部に逆起磁力を発生させれば出力コイル２の内部に対向発生させたことになり、問題が解決する。
以下に、打消コイル３の態様と作用の詳細を説明する。【００２３】  打消コイル３の一番目の態様としては、斜線横断部に直巻きしたいところだが、励路作用を避けるため、メイン磁路Ａに対して平行巻きになり、更に邪魔なメイン磁路Ａを両側へ逃げて巻き付けるから、必然的に図３のように鞍形対称巻きになる。これはＣＲＴ偏向コイルと類似の形である。（対称巻きではなく片巻きでもよいが不完全である。又、鞍形巻きにしないで、メイン磁路Ａ全体の外周巻きも有りだが、巻線のむだが大きい。）【００２４】  このとき、鞍形対称巻きした打消コイル３の全起磁力が、そのまま斜線横断部の斜線に沿って発生することは、電磁理論として当然である。図示の彫り込み巻きはそのため。【００２５】  ところが、出力コイル２の起磁力も、斜線横断用磁路Ｂを逆向きに周回しようとするから、両者の起磁力が同一では一切の現象が起きない。
従って、起磁力設計は打消コイル３の方を差し引き大にすることが前提である。【００２６】  出力電流に伴う磁束の発生を打消す条件は、図３のベクトル図からすでに明らかのよう
2016226248.tif 000003
路Ａにおいて、それぞれの磁気回路でのオームの法則を用い、斜線角度θも計算に入れ、等式が成り立つように、それぞれの磁気抵抗と起磁力を算定すればよい。
以上は、打消コイル３による逆起磁力が、斜線横断部に直接発生する態様である。【００２７】  打消コイル３の二番目の態様は、図６のように通常の巻き方にして斜線横断用磁路Ｂの増設側に設け、それによる逆起磁力を一対の中継コイル４により、斜線横断部に転移して発生させるようにしたものであり、前記一番目の態様と同じ作用になる。【００２８】  この一対の中継コイル４は、周知の無誘導巻きしたペアコイルと同じで、同じ巻き数のコイルとコイルを、互いに巻き戻しの関係で短絡接続したものである。
但し、斜線横断部に巻く方のコイルだけは、図６のように、当然鞍形対称巻きでなくては斜線横断部に逆起磁力を導くことはできない。【００２９】  この中継コイル４があれば、打消コイル３による打消用磁束がメイン磁路Ａの方へそれることはなく、強制的に斜線横断部を貫いて出力コイル２の起磁力と対峙することになり、斜線横断部に直接打消コイル３を設けた態様と同等になる。【００３０】  必須三要件の最後は、打消コイル３を経由して出力電流を流すことである。
その理由は、出力電流の波形や位相の進み遅れなど、それと全く同条件の電流が同時に打消コイル３を通過することが、磁束の打消しには必須だからである。（通常では一次側で起きている現象である。）      このとき電流の大小だけは、前記打消条件の等式から算定した起磁力に合わせて、完全なる比例関係にあれば良い。【００３１】  従って、図４のように、打消コイル３を直接経由して出力電流を流す場合と、図５のように、電流比を変えたいときや、その調整を要するときに、変流器などの電流変換コイルを介して、打消コイル３を経由し出力電流を流す場合とがあり、そのいずれかを選択することになる。【００３２】  以上のような根本原理と必須三要件の手段を、２組又は３組用いて、Ｖ結線、三角結線星形結線などの三相結線にすれば、三相電力対応の電源装置になることは当然である。【００３３】  最終的に本発明の電源装置は、電磁誘導現象を持続させるために、その励磁やすべてのロス、出力電流に伴う磁束の打消し不全など、一次側が必要とする分だけ、出力エネルギーーの一部を一次側へ戻すことで、自己完結型の電源装置にすることができる。【００３４】  このとき、変圧器の一次側は発振回路などの交流電源であり、図２のような回転界磁形発電機の一次側は電動機である。【００３５】  以上のような手段により、出力電流に伴う磁束の発生を打消すことで、一次側からの入力は無くなり、真空の「場」のエネルギーである「対生成」だけを利用する電源装置を作ることができる。【００３６】  本発明が解決しようとしている残りの課題は、入力を必要としない電源装置の特性を利用して、次のような製品を作ることである。【００３７】  第一段階の製品は、入力を必要としないこの原理的電源装置を、各種用途に応じてそれぞれ制御装置などと組み合わせ、交流、直流、電圧、周波数、出力など、それぞれの仕様に合わせた実用電源装置にすることである。
仕様が共通であれば、当然、複数用途兼用の製品になる。【００３８】  各種用途の用例としては、一般家庭用電源装置であり、災害や、レジャーなどの携帯用電源装置である。  そして、  ホテル、山小屋、旅館、商店などの商業用電源装置であり、学校、病院、交通信号機、都市照明などの公共施設用電源装置である。
当然、上記の用例はごく一部であり、その他もすべて同じことである。【００３９】  更に、他の機器の動力源としての用例は、二輪以上の自動車内蔵用、農業機器内蔵用、漁業機器内蔵用、建設機器内蔵用などがある。  その他、動力源用に限らず、電源を必要とするもの全て、実用電源装置の用例の対象である。【００４０】  第二段階の製品は、前記の実用電源装置を、目的とするその用途に直接内蔵して組み込み、電源内蔵製品にすることである。【００４１】  その用例としては、前記内蔵用機器はもちろん、他にも様々なものがあり、たとえば、冷暖房装置、冷蔵庫、洗濯機、掃除機、電気楽器、音響機器、プロジェクターなどのように、電源内蔵により利便性の良くなるもの全てが対象である。【００４２】  但し、その用例の中で、大出力を要するものや、利便性より欠点の大きいものは、諸般の事情を考慮して、実用電源装置の内蔵に極めて慎重でなければならない。
その用例として、複数内蔵の自動車、無人走行可能の自動車、自立歩行可能の知能ロボッット、宇宙を含む空間の、無人飛行体、自衛も含めた、軍備用機器、磁気浮上方式を含む、鉄道用の電気車、船舶、航空機などである。
【発明の効果】
【００４３】  エネルギーを必要としない電源装置である。敢えて効果を羅列する必要もない。
心配なのは、技術革新を至上と勘違いし、進化礼賛に歯止めの効かない地球人類だから必ず逆効果の方が大きい。  今のネット社会も、技術やシステムが進化すると、悪用する者も進化し、限り無く社会を荒廃させ続けている。おぞましき悪魔が増殖を始めている。
進化礼賛は、人類滅亡に向かって一直線、と悟るべきである。
長い地球文明の歴史が、わずかこの一世紀で激変した。この先は大異変でしかない。【００４４】  本発明は、「宇宙の原理」に背く利用であることを認識し、地球の新異変を念頭に、極めて慎重に、節度と良識を持って利用することが重要である。
基本的に、一般家庭用電源と自家用小規模電源に限定した利用だけでよい。
人類にとって、エネルギーの平等は衣食住の平等につながり、平和が実現するから。
その他の利用は、緊急に国際条約で禁止又は制限するべきである。【００４５】  いくら平和を叫んでも平和にはならない。    なるわけがない。
どうするべきかを、いまだに人類は悟っていない。
平和への根本原理は、「穏やか、和やか、のどか」である。  ひと言で優しさのこと。
政治、外交、スポーツも、この根本原理に反する今の人類の言動が、今の戦乱の根源。
数学や物理だけに法則や公式があるのではない。
まだ意地の張り合いを続けるなら、地球人類の滅亡は、確実である。
そんなに大切な意地なのか？
【図面の簡単な説明】
【００４６】
【図１】  本発明の原理的電源装置の概要。
【図２】  電磁誘導現象の一次側の励磁が、回転界磁形のとき。
【図３】  出力電流に伴う磁束の発生を打消す原理説明図。
【図４】  打消コイル３を直接経由して、出力電流を流す説明図。
【図５】  変流器を介して打消コイル３を経由し、出力電流を流す説明図。
【図６】  打消コイル３の起磁力を、斜線横断部へ転移する説明図。
【発明を実施するための形態】
【００４７】  図１のような変圧器方式であり、その出力の一部を一次側の発振回路へ戻して発振を継続させることで、自己完結型の電源装置にすると共に、その電圧、周波数、出力などそれぞれの用途の仕様に合わせた実用電源装置にして、実施することになる。
【符号の説明】
【００４８】      Ａ  メイン磁路
Ｂ  斜線横断用磁路
２  出力コイル
３  打消コイル
４  中継コイル
【図１】
2016226248.tif 000004
【図２】
2016226248.tif 000005
【図３】
2016226248.tif 000006
【図４】
2016226248.tif 000007
【図５】
2016226248.tif 000008
【図６】
2016226248.tif 000009
【手続補正書】
【提出日】平成27年6月8日(2015.6.8)
【手続補正１】
【補正対象書類名】明細書
【補正対象項目名】００１９
【補正方法】変更
【補正の内容】
【００１９】  始めに、その根本原理と必須三要件を説明する。
メイン磁路Ａに巻いてある出力コイル２の内部を、打消用磁束が出力コイル２の起磁力に対して、斜めに逆流して横断することができるように、斜線横断用磁路Ｂを増設して、出力コイル２に対する逆起磁力が、その斜線横断部に発生するように打消コイル３を設けると共に、この打消コイル３を経由して出力電流を流すことにより、出力電流に伴う磁束の発生を打消すことができ、真空の「場」のエネルギーを利用する電源装置が実現する。
【手続補正２】
【補正対象書類名】明細書
【補正対象項目名】００２３
【補正方法】変更
【補正の内容】
【００２３】  打消コイル３の一番目の態様としては、斜線横断部に直巻きしたいところだが、励磁作用を避けるため、メイン磁路Ａに対して平行巻きになり、更に邪魔なメイン磁路Ａを両側へ逃げて巻き付けるから、必然的に図３のように鞍形対称巻きになる。これはＣＲＴ偏向コイルと類似の形である。（対称巻きではなく片巻きでもよいが不完全である。又、鞍形巻きにしないで、メイン磁路Ａ全体の外周巻きも有りだが、巻線のむだが大きい。）
【手続補正３】
【補正対象書類名】明細書
【補正対象項目名】００４５
【補正方法】変更
【補正の内容】
【００４５】  いくら平和を叫んでも平和にはならない。    なるわけがない。
どうするべきかを、いまだに人類は悟っていない。
平和への根本原理は、「穏やか、和やか、のどか」である。  ひと言で優しさのこと。
政治、外交、スポーツも、この根本原理に反する今の人類の言動が、今の戦乱の根源。
数学や物理だけに法則や原理があるのではない。
まだ意地の張り合いを続けるなら、地球人類の滅亡は、確実である。
そんなに大切な意地なのか？